(57)【要約】【課題】  荷物の増減に容易に対応可能なリュックサックを提供する。【解決手段】  布袋（１）の内部を水平に隔てるように備えられた２つの仕切りシート（２ａ）、（２ｂ）により３つに仕切られた気室のそれぞれは、布袋（１）を開口可能に設けられた３つの開口ジッパー（３ａ）、（３ｂ）、（３ｃ）の１つで開閉可能とする。仕切りシート（２ａ）、（２ｂ）は、一部を除く縁部に沿って備えられる連通ジッパーによって開口および閉口が可能であり、連通ジッパーの開閉により、１気室、２通りの２気室、および３気室のいずれかで使用する。【選択図】  図２
0003113859.tif 000002
【実用新案登録請求の範囲】
【請求項１】
布袋と、該布袋の内部を水平に隔てるように該布袋の内側に設けられた２以上の仕切りシートを備え、該シートにより該布袋の内側は３以上の気室が設けられ、該布袋にはさらに各気室に対応する３以上の開口ジッパーを備え、前記気室のそれぞれは該開口ジッパーにより開閉可能であり、前記仕切りシートは、一部を除く縁部に沿って備えられる連通ジッパーによって布袋に対して着脱可能であり、該連通ジッパーの開閉により、各気室が相互に連通できるようになっていることを特徴とするリュックサック。
【請求項２】
前記仕切りシートの数が２であり、前記気室の数が３である請求項１に記載のリュックサック。
【請求項３】
布袋と、該布袋の内部を水平に隔てるように備えられた２つの仕切りシートと、該布袋を開口可能に設けられた３つの開口ジッパーとを備えるリュックサックであり、前記仕切りシートにより３つに仕切られた気室のそれぞれは、開口ジッパーの１つで開閉可能であり、前記仕切りシートは、一部を除く縁部に沿って備えられる連通ジッパーによって開口および閉口が可能であり、連通ジッパーの開閉により、１気室、２通りの２気室、および３気室のいずれかで使用することが可能であることを特徴とするリュックサック。
【請求項４】
前記連通ジッパーのジッパー本体をスライド可能とする引き手は、下方側の気室に向けて備えられることを特徴とする請求項１から３のいずれかに記載のリュックサック。
【請求項５】
前記仕切りシートの周囲は、前記布袋の内面に縫合する部分と、前記連通ジッパーを縫合する部分との間に、自由な縁部分を設け、かつ、前記連通ジッパーの両端は、仕切りシートの面から延び出るように寸法付けられることを特徴とする請求項１から３のいずれかに記載のリュックサック。
【考案の詳細な説明】
【技術分野】
【０００１】
本考案は、リュックサックに関し、特に、３以上の気室を備えるリュックサックに関する。
【背景技術】
【０００２】
従来、リュックサックの内部を水平に隔てて、それぞれの気室が開口可能となるように、２つのジッパーを備えた２気室リュックサックがある。例えば、実開平６−２６５５１号公報や、実用新案登録第３００２８４７号公報に記載されているような２気室リュックサックは、荷物を整理しやすく、汚れ物や靴などを隔離して収納することも可能である。
【０００３】
しかし、リュックサックの使用途中で荷物が減った場合などには、片方の気室に荷物の一部を移して、バランスをとる手間がかかるという問題があった。あるいは、リュックサックの使用途中で荷物が増えることが事前に判明している場合などには、片方の気室を空にして背負うが、バランスが悪くなり、へこみやすい布袋であれば、格好良く背負えないという問題もあった。
【０００４】
【特許文献１】実開平６−２６５５１号公報
【０００５】
【特許文献２】実用新案登録第３００２８４７号公報
【考案の開示】
【考案が解決しようとする課題】
【０００６】
本考案は、荷物の増減に容易に対応可能な３以上の気室を備えるリュックサックを提供することを目的とする。
【課題を解決するための手段】
【０００７】
本考案のリュックサックは、布袋と、該布袋の内部を水平に隔てるように該布袋の内側に設けられた２以上の仕切りシートを備え、該シートにより該布袋の内側は３以上の気室が設けられ、該布袋にはさらに各気室に対応する３以上の開口ジッパーを備え、前記気室のそれぞれは該開口ジッパーにより開閉可能であり、前記仕切りシートは、一部を除く縁部に沿って備えられる連通ジッパーによって布袋に対して着脱可能であり、該連通ジッパーの開閉により、各気室が相互に連通できるようになっている。
【０００８】
さらに、前記仕切りシートの数が２であり、前記気室の数が３であることが望ましい。
【０００９】
本考案のリュックサックの異なる態様では、布袋と、該布袋の内部を水平に隔てるように備えられた２つの仕切りシートと、該布袋を開口可能に設けられた３つの開口ジッパーとを備えるリュックサックであり、前記仕切りシートにより３つに仕切られた気室のそれぞれは、開口ジッパーの１つで開閉可能であり、前記仕切りシートは、一部を除く縁部に沿って備えられる連通ジッパーによって開口および閉口が可能であり、連通ジッパーの開閉により、１気室、２通りの２気室、および３気室のいずれかで使用することが可能である。
【００１０】
さらに、前記連通ジッパーのジッパー本体をスライド可能とする引き手は、下方側の気室に向けて備えられることが望ましい。
【００１１】
さらに、前記仕切りシートの周囲は、前記布袋の内面に縫合する部分と、前記連通ジッパーを縫合する部分との間に、自由な縁部分を設け、かつ、前記連通ジッパーの両端は、仕切りシートの面から延び出るように寸法付けられることが望ましい。
【考案の効果】
【００１２】
本考案のリュックサックにより、荷物の増減に容易に対応可能となった。
【考案を実施するための最良の形態】
【００１３】
本考案の一実施例について、図面を参照して説明する。なお、３気室リュックサックを例に説明するが、本考案は、例えば４気室リュックサックにも適用できることはいうまでもない。また、それぞれの気室に１以上の開口ジッパーがあればよく、複数のジッパーを組み合わせたものも、本考案の範囲内にある。
【００１４】
図１は、本考案の３気室リュックサックの一実施例を示す側面図である。図２は、図１の３気室リュックサックの断面図である。図３は、図２の３気室リュックサックにおけるIII-III矢視断面図である。図４は、図２の３気室リュックサックにおけるIV-IV矢視断面図である。図５は、図１の３気室リュックサックを３気室として使用する状態の断面図である。図６および図７は、図１の３気室リュックサックを２気室として使用する状態の断面図である。図８は、図１の３気室リュックサックを１気室として使用する状態の断面図である。
【００１５】
本考案の３気室リュックサックは、布袋（１）と、布袋（１）の内部を水平に隔てるように備えられた２つの仕切りシート（２ａ）、（２ｂ）と、布袋（１）を開口可能に設けられた３つの開口ジッパー（３ａ）、（３ｂ）、（３ｃ）とを備える。仕切りシート（２ａ）、（２ｂ）により３つに仕切られた気室のそれぞれは、開口ジッパー（３ａ）、（３ｂ）、（３ｃ）で開閉可能である。仕切りシート（２ａ）、（２ｂ）は、一部を除く縁部に沿って備えられる連通ジッパー（４ａ）、（４ｂ）によって開口および閉口が可能である。
【００１６】
さらに、図９に示したように、仕切りシート（２ａ）、（２ｂ）の周囲は、布袋（１）の内面に縫合する部分と、連通ジッパー（４ａ）、（４ｂ）を縫合する部分との間に、自由な縁部分を設ける。さらに、連通ジッパー（４ａ）、（４ｂ）の両端は、仕切りシート（２ａ）、（２ｂ）の面から延び出るような長さとなるように、連通ジッパー（４ａ）、（４ｂ）の長さを調整する。このようにすることにより、図１０に示したように、連通ジッパー（４ａ）、（４ｂ）を最大に開いたときに、垂れ下がる仕切りシート（２ａ）、（２ｂ）が、気室の連通を妨げずに、気室を最大に広く使用することが可能となる。
【００１７】
従って、連通ジッパー（４ａ）、（４ｂ）の開閉により、図５に示すように３気室として使用したり、図６および図７に示すように２気室として使用したり、図８に示すように１気室として使用することが可能である。
【００１８】
さらに、連通ジッパー（４ａ）、（４ｂ）のジッパー本体をスライド可能とする引き手は、下方側の気室に向けて備える。このように、下方側の気室から開閉可能とすることが好ましいが、上側の気室からも開閉可能とするように、引き手をさらに備えてもよい。
【図面の簡単な説明】
【００１９】
【図１】本考案の３気室リュックサックの一実施例を示す側面図である。
【図２】図１の３気室リュックサックの断面図である。
【図３】図２の３気室リュックサックにおけるIII-III矢視断面図である。
【図４】図２の３気室リュックサックにおけるIV-IV矢視断面図である。
【図５】図１の３気室リュックサックを３気室として使用する状態の断面図である。
【図６】図１の３気室リュックサックを２気室として使用する状態の断面図である。
【図７】図１の３気室リュックサックを２気室として使用する状態の断面図である。
【図８】図１の３気室リュックサックを１気室として使用する状態の断面図である。
【図９】仕切りシートの細部を示す拡大斜視図である。
【図１０】図９に示した連通ジッパーを最大に開いた状態を示す拡大斜視図である。
【符号の説明】
【００２０】
１  布袋
２ａ、２ｂ  仕切りシート
３ａ、３ｂ、３ｃ  開口ジッパー
４ａ、４ｂ  連通ジッパー
【図１】
0003113859.tif 000003
【図２】
0003113859.tif 000004
【図３】
0003113859.tif 000005
【図４】
0003113859.tif 000006
【図５】
0003113859.tif 000007
【図６】
0003113859.tif 000008
【図７】
0003113859.tif 000009
【図８】
0003113859.tif 000010
【図９】
0003113859.tif 000011
【図１０】
0003113859.tif 000012